(57)【要約】【課題】スキャン機能を有する複合機がスキャンしたスキャンイメージを加工した後でも直接文書リポジトリサーバに格納することができる文書処理システムおよびその文書処理方法、文書処理装置、画像入力装置を提供する。【解決手段】スキャンの実施を入力すると、ブラウザは文書処理装置に対してスキャンの実施を送信する。文書処理装置はスキャンの実施を受信すると、指示書作成部は指示書を作成し、ＵＩ作成部は指示書を複合機に対して送信する。ブラウザは指示書を受信すると、指示書処理部は指示書を解析し、ブラウザは指示書の内容をコントロールパネルに表示する。スキャンの実施の開始を入力すると、指示書処理部はスキャン処理部に指示書の内容を渡し、スキャン処理部は指示書の内容に従って、スキャンを実施し、文書送受信部はスキャンした文書を文書処理装置に送信する。文書処理装置は文書を指定された格納場所に格納する。【選択図】図１
2006135644.tif 000002
【特許請求の範囲】
【請求項１】
ファイルを解釈して表示および操作可能なブラウザを有する画像入力装置と、文書リポジトリ機能を有する文書処理装置とがネットワークを介して接続する文書処理システムにおいて、
前記文書処理装置は、
前記画像入力装置の機能が行う動作を記述した指示書を作成する指示書作成手段と、
前記指示書作成手段で作成した指示書を前記画像入力装置に対して送信する指示書送信手段と
を具備し、
前記画像入力装置は、
前記文書処理装置からの指示書を解析する指示書解析手段と、
前記指示書解析手段で解析した指示書の内容に従って文書の読み取りを行う文書読取手段と
を具備し、
前記ブラウザは、
前記指示書の作成を前記文書処理装置に対して要求し、
前記指示書送信手段から送信された指示書を受信する
ことを特徴とする文書処理システム。
【請求項２】
前記ブラウザは、
前記文書読取手段で読み取る文書の格納場所を前記文書処理装置に対して指定し、
前記指示書作成手段は、
前記ブラウザからの格納場所の指定を記述した指示書を作成し、
前記画像入力装置は、
前記指示書に従って前記文書読取手段で読み取った文書を前記格納場所に送信する文書通信手段
を具備することを特徴とする請求項１記載の文書処理システム。
【請求項３】
前記文書通信手段は、
前記指示書解析手段により指示書に前記文書読取手段で読み取る文書に対する加工処理の指示が記述されていることが解析された場合、前記ネットワークを介して接続する加工処理手段に対して該文書を送信し、
前記加工処理手段からの加工処理済みの文書を受信する
ことを特徴とする請求項２記載の文書処理システム。
【請求項４】
前記文書処理装置は、
前記指示書作成手段が前記指示書を作成する際にパスワードを作成し、該パスワードの認証を行うパスワード処理手段
を具備し、
前記指示書作成手段は、
前記パスワードを記述した指示書を作成し、
前記ブラウザは、
前記パスワードを記述した指示書に従って読み取った文書を格納する際に、該パスワードを前記文書処理装置に対して送信し、
前記パスワード処理手段は、
前記パスワードを認証した場合、前記文書の格納を許可する
ことを特徴とする請求項２記載の文書処理システム。
【請求項５】
ファイルを解釈して表示および操作可能なブラウザを有する画像入力装置とネットワークを介して接続する文書リポジトリ機能を有する文書処理装置において、
前記画像入力装置からの該画像入力装置の機能が行う動作を記述した指示書の作成の要求を受信した際に、該指示書を作成する指示書作成手段と、
前記指示書作成手段で作成した指示書を前記画像入力装置に対して送信する指示書送信手段と
を具備することを特徴とする文書処理装置。
【請求項６】
前記指示書作成手段は、
前記画像入力装置からの前記指示書の作成の要求に該画像入力装置で読み取る文書の格納場所が含まれている場合、該格納場所への格納の指示を記述した指示書を作成する
ことを特徴とする請求項５記載の文書処理装置。
【請求項７】
前記指示書作成手段が前記指示書を作成する際にパスワードを作成し、該パスワードの認証を行うパスワード処理手段
を更に具備し、
前記指示書作成手段は、
前記パスワード処理手段が作成したパスワードを記述した指示書を作成し、
前記パスワード処理手段は、
前記画像入力装置からの前記文書の格納の依頼とともに受信したパスワードを認証した場合、該文書の格納を許可する
ことを特徴とする請求項６記載の文書処理装置。
【請求項８】
文書リポジトリ機能を有する文書処理装置とネットワークを介して接続する、ファイルを解釈して表示および操作可能なブラウザを有する画像入力装置において、
前記文書処理装置からの機能が行う動作を記述した指示書を解析する指示書解析手段と、
前記指示書解析手段で解析した指示書の内容に従って文書の読み取りを行う文書読取手段と
を具備し、
前記ブラウザは、
前記指示書の作成を前記文書処理装置に対して要求し、
前記文書処理装置から送信された指示書を受信する
ことを特徴とする画像入力装置。
【請求項９】
前記文書読取手段で読み取る文書の指定を記述した指示書に従って、該文書読取手段で読み取った文書を前記格納場所に送信する文書通信手段
を更に具備し、
前記ブラウザは、
前記文書読取手段で読み取る文書の格納場所を前記文書処理装置に対して指定する
ことを特徴とする請求項８記載の画像入力装置。
【請求項１０】
前記文書通信手段は、
前記指示書解析手段により指示書に前記文書読取手段で読み取る文書に対する加工処理の指示が記述されていることが解析された場合、前記ネットワークを介して接続する加工処理手段に対して該文書を送信し、
前記加工処理手段からの加工処理済みの文書を受信する
ことを特徴とする請求項９記載の画像入力装置。
【請求項１１】
ファイルを解釈して表示および操作可能なブラウザを有する画像入力装置と、文書リポジトリ機能を有する文書処理装置とがネットワークを介して接続する文書処理システムの文書処理方法において、
前記ブラウザは前記画像入力装置の機能が行う動作を記述した指示書の作成を前記文書処理装置に対して要求し、
前記文書処理装置は前記指示書の作成の要求に応じて該指示書を指示書作成手段により作成し、
該作成した指示書を前記ブラウザに対して指示書送信手段により送信し、
前記ブラウザは前記指示書送信手段から送信された指示書を受信し、
前記画像入力装置は、
前記文書処理装置からの指示書を指示書解析手段により解析し、
該解析した指示書の内容に従って文書の読み取りを文書読取手段により行う
ことを特徴とする文書処理システムの文書処理方法。
【請求項１２】
前記ブラウザは、
前記文書読取手段で読み取る文書の格納場所を前記文書処理装置に対して指定し、
前記指示書作成手段は、
前記ブラウザからの格納場所の指定を記述した指示書を作成し、
前記画像入力装置は、
前記指示書に従って前記文書読取手段で読み取った文書を文書通信手段により前記格納場所に送信する
ことを特徴とする請求項１１記載の文書処理システムの文書処理方法。
【請求項１３】
前記文書通信手段は、
前記指示書解析手段により指示書に前記文書読取手段で読み取る文書に対する加工処理の指示が記述されていることが解析された場合、前記ネットワークを介して接続する加工処理手段に対して該文書を送信し、
前記加工処理手段からの加工処理済みの文書を受信する
ことを特徴とする請求項１２記載の文書処理システムの文書処理方法。
【請求項１４】
前記指示書作成手段が前記指示書を作成する際にパスワードをパスワード処理手段により作成し、
前記指示書作成手段は前記パスワードを記述した指示書を作成し、
前記ブラウザは前記パスワードを記述した指示書に従って読み取った文書を格納する際に、該パスワードを前記文書処理装置に対して送信し、
前記パスワード処理手段は前記パスワードを認証した場合、前記文書の格納を許可する
ことを特徴とする請求項１２記載の文書処理システムの文書処理方法。
【発明の詳細な説明】
【技術分野】
【０００１】
本発明は、文書処理システムおよびその文書処理方法、文書処理装置、画像入力装置に関し、特に、スキャンイメージの転送および格納を行う文書処理システムおよびその文書処理方法、文書処理装置、画像入力装置に関する。
【背景技術】
【０００２】
従来、スキャン機能を有する複合機がスキャンしたスキャンイメージを文書リポジトリサーバに格納するためには、以下に掲げる方法がある。
【０００３】
（１）ＨＴＴＰのＰＵＴを使用して文書リポジトリサーバにアップロードする方法
（２）一旦、転送を実施する転送サーバへスキャンイメージを格納し、転送サーバで文書リポジトリサーバに転送する方法
ただし、（１）の方法では、一般的にスキャンイメージをＯＣＲ等の加工を実施してからでは、アップロードすることができないとい欠点があり、また、（２）の方法では、（１）の方法の欠点を克服することはできるものの、システム上に転送サーバが必須となるため、転送サーバを持たず、且つスキャンイメージを加工してから、文書リポジトリサーバに格納する技術が望まれている。
【０００４】
そこで、例えば、ジョブサーバが複写機のＨＤＤに記憶されている画像データに対応する低解像画像データをホストコンピュータに送信し、ホストコンピュータから低解像画像データに対する処理情報を受信し、受信した処理情報に従ってＨＤＤに記憶されている画像データを処理する画像処理装置、画像処理システム及び画像処理方法がある（例えば、特許文献１参照。）。
【特許文献１】特開平１０−１７３８９７号公報
【発明の開示】
【発明が解決しようとする課題】
【０００５】
しかし、特許文献１には、ジョブサーバから処理情報を受け取る構成が記載されているものの、画像データをジョブサーバに格納する構成は記載されていない。
【０００６】
そこで、本発明は、スキャン機能を有する複合機がスキャンしたスキャンイメージを加工した後でも直接文書リポジトリサーバに格納することができる文書処理システムおよびその文書処理方法、文書処理装置、画像入力装置を提供することを目的とする。
【課題を解決するための手段】
【０００７】
上記目的を達成するため、請求項１の発明は、ファイルを解釈して表示および操作可能なブラウザを有する画像入力装置と、文書リポジトリ機能を有する文書処理装置とがネットワークを介して接続する文書処理システムにおいて、前記文書処理装置は、前記画像入力装置の機能が行う動作を記述した指示書を作成する指示書作成手段と、前記指示書作成手段で作成した指示書を前記画像入力装置に対して送信する指示書送信手段とを具備し、前記画像入力装置は、前記文書処理装置からの指示書を解析する指示書解析手段と、前記指示書解析手段で解析した指示書の内容に従って文書の読み取りを行う文書読取手段とを具備し、前記ブラウザは、前記指示書の作成を前記文書処理装置に対して要求し、前記指示書送信手段から送信された指示書を受信することを特徴とする。
【０００８】
また、請求項２の発明は、請求項１の発明において、前記ブラウザは、前記文書読取手段で読み取る文書の格納場所を前記文書処理装置に対して指定し、前記指示書作成手段は、前記ブラウザからの格納場所の指定を記述した指示書を作成し、前記画像入力装置は、前記指示書に従って前記文書読取手段で読み取った文書を前記格納場所に送信する文書通信手段を具備することを特徴とする。
【０００９】
また、請求項３の発明は、請求項２の発明において、前記文書通信手段は、前記指示書解析手段により指示書に前記文書読取手段で読み取る文書に対する加工処理の指示が記述されていることが解析された場合、前記ネットワークを介して接続する加工処理手段に対して該文書を送信し、前記加工処理手段からの加工処理済みの文書を受信することを特徴とする。
【００１０】
また、請求項４の発明は、請求項２の発明において、前記文書処理装置は、前記指示書作成手段が前記指示書を作成する際にパスワードを作成し、該パスワードの認証を行うパスワード処理手段を具備し、前記指示書作成手段は、前記パスワードを記述した指示書を作成し、前記ブラウザは、前記パスワードを記述した指示書に従って読み取った文書を格納する際に、該パスワードを前記文書処理装置に対して送信し、前記パスワード処理手段は、前記パスワードを認証した場合、前記文書の格納を許可することを特徴とする。
【００１１】
また、請求項５の発明は、ファイルを解釈して表示および操作可能なブラウザを有する画像入力装置とネットワークを介して接続する文書リポジトリ機能を有する文書処理装置において、前記画像入力装置からの該画像入力装置の機能が行う動作を記述した指示書の作成の要求を受信した際に、該指示書を作成する指示書作成手段と、前記指示書作成手段で作成した指示書を前記画像入力装置に対して送信する指示書送信手段とを具備することを特徴とする。
【００１２】
また、請求項６の発明は、請求項５の発明において、前記指示書作成手段は、前記画像入力装置からの前記指示書の作成の要求に該画像入力装置で読み取る文書の格納場所が含まれている場合、該格納場所への格納の指示を記述した指示書を作成することを特徴とする。
【００１３】
また、請求項７の発明は、請求項６の発明において、前記指示書作成手段が前記指示書を作成する際にパスワードを作成し、該パスワードの認証を行うパスワード処理手段を更に具備し、前記指示書作成手段は、前記パスワード処理手段が作成したパスワードを記述した指示書を作成し、前記パスワード処理手段は、前記画像入力装置からの前記文書の格納の依頼とともに受信したパスワードを認証した場合、該文書の格納を許可することを特徴とする。
【００１４】
また、請求項８の発明は、文書リポジトリ機能を有する文書処理装置とネットワークを介して接続する、ファイルを解釈して表示および操作可能なブラウザを有する画像入力装置において、前記文書処理装置からの機能が行う動作を記述した指示書を解析する指示書解析手段と、前記指示書解析手段で解析した指示書の内容に従って文書の読み取りを行う文書読取手段とを具備し、前記ブラウザは、前記指示書の作成を前記文書処理装置に対して要求し、前記文書処理装置から送信された指示書を受信することを特徴とする。
【００１５】
また、請求項９の発明は、請求項８の発明において、前記文書読取手段で読み取る文書の指定を記述した指示書に従って、該文書読取手段で読み取った文書を前記格納場所に送信する文書通信手段を更に具備し、前記ブラウザは、前記文書読取手段で読み取る文書の格納場所を前記文書処理装置に対して指定することを特徴とする。
【００１６】
また、請求項１０の発明は、請求項９の発明において、前記文書通信手段は、前記指示書解析手段により指示書に前記文書読取手段で読み取る文書に対する加工処理の指示が記述されていることが解析された場合、前記ネットワークを介して接続する加工処理手段に対して該文書を送信し、前記加工処理手段からの加工処理済みの文書を受信することを特徴とする。
【００１７】
また、請求項１１の発明は、ファイルを解釈して表示および操作可能なブラウザを有する画像入力装置と、文書リポジトリ機能を有する文書処理装置とがネットワークを介して接続する文書処理システムの文書処理方法において、前記ブラウザは前記画像入力装置の機能が行う動作を記述した指示書の作成を前記文書処理装置に対して要求し、前記文書処理装置は前記指示書の作成の要求に応じて該指示書を指示書作成手段により作成し、該作成した指示書を前記ブラウザに対して指示書送信手段により送信し、前記ブラウザは前記指示書送信手段から送信された指示書を受信し、前記画像入力装置は、前記文書処理装置からの指示書を指示書解析手段により解析し、該解析した指示書の内容に従って文書の読み取りを文書読取手段により行うことを特徴とする。
【００１８】
また、請求項１２の発明は、請求項１１の発明において、前記ブラウザは、前記文書読取手段で読み取る文書の格納場所を前記文書処理装置に対して指定し、前記指示書作成手段は、前記ブラウザからの格納場所の指定を記述した指示書を作成し、前記画像入力装置は、前記指示書に従って前記文書読取手段で読み取った文書を文書通信手段により前記格納場所に送信することを特徴とする。
【００１９】
また、請求項１３の発明は、請求項１２の発明において、前記文書通信手段は、前記指示書解析手段により指示書に前記文書読取手段で読み取る文書に対する加工処理の指示が記述されていることが解析された場合、前記ネットワークを介して接続する加工処理手段に対して該文書を送信し、前記加工処理手段からの加工処理済みの文書を受信することを特徴とする。
【００２０】
また、請求項１４の発明は、請求項１２の発明において、前記指示書作成手段が前記指示書を作成する際にパスワードをパスワード処理手段により作成し、前記指示書作成手段は前記パスワードを記述した指示書を作成し、前記ブラウザは前記パスワードを記述した指示書に従って読み取った文書を格納する際に、該パスワードを前記文書処理装置に対して送信し、前記パスワード処理手段は前記パスワードを認証した場合、前記文書の格納を許可することを特徴とする。
【発明の効果】
【００２１】
本発明によれば、画像入力装置からリポジトリサーバにスキャンしたイメージを格納する際に、ＯＣＲ等の加工処理を施してから格納することが可能になるという効果を奏する。
【００２２】
また、本発明によれば、余分な転送サーバを設けることなく、スキャンしたイメージを直接リポジトリサーバに格納することが可能になるという効果を奏する。
【発明を実施するための最良の形態】
【００２３】
以下、本発明に係る文書処理システムおよびその文書処理方法、文書処理装置、画像入力装置の実施の形態について添付図面を参照して詳細に説明する。
【００２４】
図１は、本発明を適用した文書処理システム１の構成の一例を示す図である。
【００２５】
図１に示すように、文書処理システム１は、本発明に係る画像入力装置を適用した複合機２と、本発明に係る文書処理装置３と、文書加工装置４とがネットワーク５に接続して構成される。
【００２６】
複合機２は、コピー、プリント、スキャンおよびファクス等の複数の機能を処理することが可能なデジタル装置である。
【００２７】
文書処理装置３は、文書リポジトリ機能を有するＷｅｂサーバであり、種々の文書の格納および管理、複合機２上で実行できる指示書（複合機２上での動作を記述したスクリプト）の作成を行う。
【００２８】
文書加工装置４は、複合機２がスキャンした文書に対して画像処理等の加工処理を行い、文書加工装置４が行う加工処理として、保管先、出力先または転送先に応じた解像度、圧縮比率等の変更、回転、トリミング、カラープロファイルの変更、結合（画像、文書）、ＯＣＲ（Optical Character Reader）、翻訳等である。
【００２９】
図２は、複合機２および文書処理装置３の機能的な構成の一例を示すブロック図である。
【００３０】
図２に示すように複合機２は、ブラウザ６、コントロールパネル７、指示書処理部８、スキャン処理部９、文書送受信部１０を具備して構成される。
【００３１】
ブラウザ６は、ＨＴＴＰ（Hyper Text Transfer Protocol）等で文書処理装置３と通信を行い、ＨＴＭＬ（Hyper Text Markup Language）等で記述されたＷｅｂページ（以後、ページと称する）の解釈、およびコントロールパネルへの表示を行う。具体的に、文書処理装置３の通信とは、文書処理装置３に対するページまたは指示書の要求、文書処理装置３から送信されたページまたは指示書の受信等である。
【００３２】
コントロールパネル７は、ブラウザ６が文書処理装置３から受信したページを表示するとともに、ユーザからの複合機２の各機能に対する設定を受け付け、例えば、液晶タッチパネル方式を用いても良い。
【００３３】
指示書処理部８は、ブラウザ６が文書処理装置３から受信した指示書の解析等の処理を行う。
【００３４】
スキャン処理部９は、プラテン１１上に設置された複写体となる原稿の画像情報を電子データとしてスキャンする処理を行う。
【００３５】
文書送受信部１０は、スキャン処理部９がスキャンした文書を文書処理装置３に送信する処理、および文書の加工処理を実施する場合にはその文書を加工処理装置４に送信する処理を行う。
【００３６】
図２に示すように文書処理装置３は、ＵＩ作成部１２、指示書作成部１３、パスワード処理部１４、文書格納部１５を具備して構成される。
【００３７】
ＵＩ作成部１２は、複合機２のコントロールパネルに表示するページの作成を行うとともに、複合機２のブラウザ６とＨＴＴＰ等で通信を行い、複合機２からのページまたは指示書の作成の要求の受信処理、および複合機２に対するページまたは指示書の送信処理を行う。
【００３８】
指示書作成部１３は、複合機２からの指示書の要求に従って、指示書の作成を行う。
【００３９】
パスワード処理部１４は、複合機２から文書処理装置３に文書を格納する際に必要なワンタイムパスワード（認証文字列の「種」となるランダムな文字列）の発行および認証の処理を行う。このワンタイムパスワードは指示書が作成されるとともに発行され、この指示書に従ってスキャンした文書を文書処理装置３に格納する際に入力を求められるものである。
【００４０】
従って、文書処理装置３が作成した指示書に従ってスキャンした文書以外の文書を格納することを防止することができる。
【００４１】
文書格納部１５は、複合機２から送信された文書を格納する。
【００４２】
複合機２のスキャン機能で原稿をスキャンして文書処理装置３に格納する際に、複合機２および文書処理装置３が行う機能的な動作について図２を参照して説明する。
【００４３】
ユーザが複合機２のコントロールパネル７により文書処理装置３との接続の要求を入力すると、ブラウザ６は文書処理装置３との接続の要求を受け付け、接続先に要求された文書処理装置３に対してページの要求をＨＴＴＰで送信する。
【００４４】
文書処理装置３のＵＩ作成部１２は複合機２からのページの要求を受信すると、最初のページを複合機２に対して送信する。
【００４５】
複合機２のブラウザ６は文書処理装置３からの最初のページを受信すると、受信した最初のページをコントロールパネル７に表示する。
【００４６】
その後、ユーザがコントロールパネル７により新たなページの要求を入力すると、ブラウザ６は文書処理装置３に対してページの要求を送信し、文書処理装置３のＵＩ作成部１２はページの要求を受信すると、受信した要求に応じたページを複合機２に対して送信し、複合機２のブラウザ６は文書処理装置３からのページを受信すると、受信したページをコントロールパネル７に表示する。
【００４７】
ユーザがコントロールパネル７によりスキャンの実施とスキャンする文書の格納場所の指定とを入力すると、ブラウザ６は文書処理装置３に対してスキャンの実施と文書の格納場所の指定とを送信する。
【００４８】
文書処理装置３のＵＩ作成部１２は複合機２からのスキャンの実施と文書の格納場所の指定とを受信すると、スキャンの実施を受信した旨を指示書作成部１３に通知し、指示書作成部１３はスキャンの実施を受信した通知を受け付けると、指示書を作成し、作成した指示書をＵＩ作成部１２に渡し、ＵＩ作成部１２は指示書を受け取ると、受け取った指示書を複合機２に対して送信する。
【００４９】
複合機２のブラウザ６は文書処理装置３からの指示書を受信すると、受信した指示書を指示書処理部８に渡し、指示書処理部８は指示書を受け取ると、受け取った指示書を解析し、解析した指示書の内容をブラウザ６に渡し、ブラウザ６は指示書の内容を受け取ると、受け取った指示書の内容をコントロールパネル７に表示する。
【００５０】
ユーザはコントロールパネル７に表示された指示書の内容を確認し、コントロールパネル７によりスキャンの実施の開始を入力すると、ブラウザ６はスキャンの実施の開始を指示書処理部８に通知し、指示書処理部８はスキャンの実施の開始の通知を受け付けると、スキャン処理部９にスキャンの実施の開始を通知するとともに、指示書の内容を渡し、スキャン処理部９はスキャンの実施の開始の通知を受け付け、指示書の内容を受け取ると、受け取った指示書の内容に従って、プラテン１１上に設置された原稿のスキャンを実施し、スキャンした文書を文書送受信部１０に渡す。
【００５１】
指示書処理部８は指示書の内容として記述された文書の格納場所を文書送受信部１０に渡し、文書送受信部１０はスキャン処理部９でスキャンした文書、および指示書処理部８からの文書の格納場所を受け取ると、受け取った文書と格納場所とを文書処理装置３に対して送信する。
【００５２】
文書処理装置３は複合機２からの文書と格納場所とを受信すると、文書を文書格納部１５内の指定された格納場所に格納する。
【００５３】
なお、指示書の内容として文書の加工処理が記述されている場合、指示書処理部８は文書の格納場所と加工処理についての情報（例えば、加工処理を実施する文書加工装置４の場所等）とを文書送受信部１０に渡し、文書送受信部１０はスキャン処理部９でスキャンした文書、および指示書処理部８からの文書の格納場所と加工処理についての情報とを受け取ると、加工処理についての情報に基づいて文書を加工処理装置４に送信する。
【００５４】
そして、文書送受信部１０は加工処理装置４から加工処理済みの文書を受信すると、加工処理済みの文書と格納場所とを文書処理装置３に対して送信する。
【００５５】
文書処理装置３は複合機２からの加工処理済みの文書と格納場所とを受信すると、加工処理済みの文書を文書格納部１５内の指定された格納場所に格納する。
【００５６】
次に、複合機のスキャン機能で原稿をスキャンする際に、複合機で行われる処理手順、文書処理装置で行われる処理手順、および複合機と文書処理装置とで行われる通信の処理手順について図３に示すフローチャートを参照して説明する。
【００５７】
複合機は文書処理装置に対してページの要求を送信する（ステップＳ３０１）。文書処理装置は複合機からのページの要求を受信し、受信したページの要求に従って複合機に対してページを送信する（ステップＳ３０２）。複合機は文書処理装置からのページを受信し、受信したページを表示する（ステップＳ３０３）。
【００５８】
図４は、複合機のコントロールパネルに表示されたフォルダーの内容を表すページの一例を示す図である。図４に示すページには、「開発部  ＵＩデザインＧフォルダー」に保存されている「開発部  ＵＩデザインＧ  メンバー用」のフォルダー、「仕様書Ｖ１」のファイル、「仕様書Ｖ２」のファイル、「仕様書Ｖ３」のファイル、「仕様書Ｖ４」のファイルが表示されている。ここで、ユーザはスキャンした文書を「開発部  ＵＩデザインＧフォルダー」に保存するため、図４に示すページ上の「スキャン保存」のボタンを押下等する。
【００５９】
ここで、図３に示すフローチャートの説明に戻り、図４に示すページ上の「スキャン保存」のボタンを押下等することで、複合機はスキャンの実施を文書処理装置に対して送信する（ステップＳ３０４）。文書処理装置は複合機からのスキャンの実施を受信し、指示書（スキャンした文書を「開発部  ＵＩデザインＧフォルダー」に格納することを記述した）を作成し（ステップＳ３０５）、作成した指示書を複合機に対して送信する（ステップＳ３０６）。複合機は文書処理装置からの指示書を受信し、受信した指示書を解析し（ステップＳ３０７）、解析した指示書の内容を表示する（ステップＳ３０８）。
【００６０】
図５は、複合機のコントロールパネルに表示された指示書の内容の一例を示す図である。図５に示すページには、スキャン処理の設定として、「格納場所」が「開発部  ＵＩデザインＧフォルダー」であること、「読み取り解像度」が「２００ｄｐｉ」であること、「原稿の画質」が「文字／写真」であること、および「文書の加工」が「ＯＣＲ」であること（つまり、スキャンした文書にたいしてＯＣＲの処理を実施すること）が表示されている。ここで、ユーザは上記のスキャン処理の設定で良ければ、図５に示すページ上の「はい」のボタンを押下等する。
【００６１】
ここで、図３に示すフローチャートの説明に戻り、図５に示すページ上の「はい」のボタンを押下等することで、複合機はスキャンを実施し（ステップＳ３０９）、スキャンした文書を加工する場合（ステップＳ３１０でＹＥＳ）、ステップＳ３１１に進み、スキャンした文書を加工しない場合（ステップＳ３１０でＮＯ）、ステップＳ３１３に進む。
【００６２】
スキャンした文書を加工する場合（ステップＳ３１０でＹＥＳ）、複合機は文書加工装置に対してスキャンした文書を送信し（ステップＳ３１１）、文書加工装置から加工済みの文書を受信した場合（ステップＳ３１２でＹＥＳ）、ステップＳ３１３に進む。
【００６３】
複合機は文書処理装置に対してスキャンした文書、若しくは加工済みの文書を送信する（ステップＳ３１３）。文書処理装置は複合機からのスキャンした文書若しくは加工済みの文書を受信し、スキャンした文書若しくは加工済みの文書を指定された格納場所（「開発部  ＵＩデザインＧフォルダー」内）に格納し（ステップＳ３１４）、図３に示すフローチャートを終了する。
【００６４】
次に、複合機２のスキャン機能で原稿をスキャンして文書処理装置３に格納する際にワンタイムパスワードを用いる場合、複合機２および文書処理装置３が行う機能的な動作について図２を参照して説明する。
【００６５】
ユーザが複合機２のコントロールパネル７により文書処理装置３との接続の要求を入力すると、ブラウザ６は文書処理装置３との接続の要求を受け付け、接続先に要求された文書処理装置３に対してページの要求をＨＴＴＰで送信する。
【００６６】
文書処理装置３のＵＩ作成部１２は複合機２からのページの要求を受信すると、最初のページを複合機２に対して送信する。
【００６７】
複合機２のブラウザ６は文書処理装置３からの最初のページを受信すると、受信した最初のページをコントロールパネル７に表示する。
【００６８】
その後、ユーザがコントロールパネル７により新たなページの要求を入力すると、ブラウザ６は文書処理装置３に対してページの要求を送信し、文書処理装置３のＵＩ作成部１２はページの要求を受信すると、受信した要求に応じたページを複合機２に対して送信し、複合機２のブラウザ６は文書処理装置３からのページを受信すると、受信したページをコントロールパネル７に表示する。
【００６９】
ユーザがコントロールパネル７によりスキャンの実施とスキャンする文書の格納場所の指定とを入力すると、ブラウザ６は文書処理装置３に対してスキャンの実施と文書の格納場所の指定とを送信する。
【００７０】
文書処理装置３のＵＩ作成部１２は複合機２からのスキャンの実施と文書の格納場所の指定とを受信すると、スキャンの実施を受信した旨を指示書作成部１３に通知し、指示書作成部１３はスキャンの実施を受信した通知を受け付けると、指示書を作成する旨をパスワード処理部１４に通知し、パスワード処理部１４は指示書を作成する通知を受け付けると、ワンタイムパスワードを作成し、作成したワンタイムパスワードを指示書作成部１３に渡し、指示書作成部１３はワンタイムパスワードを受け取ると、受け取ったワンタイムパスワードを記述した指示書を作成し、作成した指示書をＵＩ作成部１２に渡し、ＵＩ作成部１２は指示書を受け取ると、受け取った指示書を複合機２に対して送信する。
【００７１】
複合機２のブラウザ６は文書処理装置３からの指示書を受信すると、受信した指示書を指示書処理部８に渡し、指示書処理部８は指示書を受け取ると、受け取った指示書を解析し、解析した指示書の内容をブラウザ６に渡し、ブラウザ６は指示書の内容を受け取ると、受け取った指示書の内容（ワンタイムパスワードを含む）をコントロールパネル７に表示する。
【００７２】
ユーザはコントロールパネル７に表示された指示書の内容を確認し、コントロールパネル７によりスキャンの実施の開始を入力すると、ブラウザ６はスキャンの実施の開始を指示書処理部８に通知し、指示書処理部８はスキャンの実施の開始の通知を受け付けると、スキャン処理部９にスキャンの実施の開始を通知するとともに、指示書の内容を渡し、スキャン処理部９はスキャンの実施の開始の通知を受け付け、指示書の内容を受け取ると、受け取った指示書の内容に従って、プラテン１１上に設置された原稿のスキャンを実施し、スキャンした文書を文書送受信部１０に渡し、ブラウザ６はパスワードの入力を要求するページをコントロールパネル７に表示する。
【００７３】
ユーザはコントロールパネル７により自分しか知られない秘密のパスワードを入力すると、複合機２に備えられたソフトウェア等が文書処理装置３から送信されてきたワンタイムパスワードとユーザが入力したパスワードとを一定の手順に従って演算し、ブラウザ６は生成された結果（以後、レスポンスと称する）を文書処理装置３に対して送信する。
【００７４】
文書処理装置３のＵＩ作成部１２は複合機２からのレスポンスを受信すると、受信したレスポンスをパスワード処理部１４に渡し、パスワード処理部１４はレスポンスを受け取ると、受け取ったレスポンスに基づいて正規のユーザか否か認証する。
【００７５】
パスワード処理部１４が正規のユーザであると認証した場合、パスワード処理部１４は認証した旨をＵＩ作成部１２に通知し、ＵＩ作成部１２は認証した通知を受け付けると、認証した旨を複合機２に対して通知する。
【００７６】
複合機２のブラウザ６は文書処理装置３からの認証した通知を受信すると、認証した旨を指示書処理部８に通知し、指示書処理部８は認証した通知を受け付けると、指示書の内容として記述された文書の格納場所を文書送受信部１０に渡し、文書送受信部１０はスキャン処理部９でスキャンした文書、および指示書処理部８からの文書の格納場所を受け取ると、受け取った文書と格納場所とを文書処理装置３に対して送信する。
【００７７】
文書処理装置３は複合機２からの文書と格納場所とを受信すると、文書を文書格納部１５内の指定された格納場所に格納する。
【００７８】
パスワード処理部１４が認証しなかった場合、パスワード処理部１４は認証しなかった旨をＵＩ作成部１２に通知し、ＵＩ作成部１２は認証しなかった通知を受け付けると、認証しなかった旨を複合機２に対して通知する。
【００７９】
複合機２のブラウザ６は文書処理装置３からの認証しなかった通知を受信すると、認証しなかった旨を示すページをコントロールパネル７に表示する。
【００８０】
次に、複合機のスキャン機能で原稿をスキャンする際にワンタイムパスワードを用いる場合、複合機で行われる処理手順、文書処理装置で行われる処理手順、および複合機と文書処理装置とで行われる通信の処理手順について図６に示すフローチャートを参照して説明する。
【００８１】
複合機は文書処理装置に対してページの要求を送信する（ステップＳ６０１）。文書処理装置は複合機からのページの要求を受信し、受信したページの要求に従って複合機に対してページを送信する（ステップＳ６０２）。複合機は文書処理装置からのページを受信し、受信したページを表示し（ステップＳ６０３）、スキャンの実施を文書処理装置に対して送信する（ステップＳ６０４）。文書処理装置は複合機からのスキャンの実施を受信し、ワンタイムパスワードを記述した指示書を作成し（ステップＳ６０５）、作成した指示書を複合機に対して送信する（ステップＳ６０６）。複合機は文書処理装置からの指示書を受信し、受信した指示書を解析し（ステップＳ６０７）、解析した指示書の内容を表示する（ステップＳ６０８）。
【００８２】
図７は、複合機のコントロールパネルに表示された指示書の内容の一例を示す図である。図７に示すページには、スキャン処理の設定として、「格納場所」が「開発部  ＵＩデザインＧフォルダー」であること、「読み取り解像度」が「２００ｄｐｉ」であること、「原稿の画質」が「文字／写真」であること、「文書の加工」が「ＯＣＲ」であること、および「パスワード」が表示されている。ここで、ユーザは上記のスキャン処理の設定で良ければ、図７に示すページ上の「はい」のボタンを押下等する。
【００８３】
ここで、図６に示すフローチャートの説明に戻り、図７に示すページ上の「はい」のボタンを押下等することで、複合機はスキャンを実施し（ステップＳ６０９）、スキャンした文書を加工する場合（ステップＳ６１０でＹＥＳ）、ステップＳ６１１に進み、スキャンした文書を加工しない場合（ステップＳ６１０でＮＯ）、ステップＳ６１３に進む。
【００８４】
スキャンした文書を加工する場合（ステップＳ６１０でＹＥＳ）、複合機は文書加工装置に対してスキャンした文書を送信し（ステップＳ６１１）、文書加工装置から加工済みの文書を受信した場合（ステップＳ６１２でＹＥＳ）、ステップＳ６１３に進む。
【００８５】
複合機はパスワードの入力要求を表示する（ステップＳ６１３）。
【００８６】
図８は、複合機のコントロールパネルに表示されたパスワードの入力要求の一例を示す図である。図８に示すページには、パスワードの入力欄が表示されている。ここで、ユーザは図７に示すページで確認したパスワードを入力欄に入力し、図８に示すページ上の「はい」のボタンを押下等する。
【００８７】
ここで、図６に示すフローチャートの説明に戻り、図８に示すページ上の「はい」のボタンを押下等することで、複合機はパスワードを文書処理装置に対して送信する（ステップＳ６１４）。文書処理装置は複合機からのパスワードを受信し、パスワードの認証を行う（ステップＳ６１５）。ここで、パスワードを認証しなかった場合（ステップＳ６１５でＮＯ）、ステップＳ６１６に進み、パスワードを認証した場合（ステップＳ６１５でＹＥＳ）、ステップＳ６１８に進む。
【００８８】
パスワードを認証しなかった場合（ステップＳ６１５でＮＯ）、文書処理装置はパスワードを認証しなかった旨を複合機に対して通知する（ステップＳ６１６）。複合機は文書処理装置からのパスワードを認証しなかった通知を受信し、パスワードを認証しなかった旨を表示し（ステップＳ６１７）、図３に示すフローチャートを終了する。
【００８９】
パスワードを認証した場合（ステップＳ６１５でＹＥＳ）、文書処理装置はパスワードを認証した旨を複合機に対して通知する（ステップＳ６１８）。複合機は文書処理装置からのパスワードを認証した通知を受信し、スキャンした文書、若しくは加工済みの文書を文書処理装置に対して送信する（ステップＳ６１９）。文書処理装置は複合機からのスキャンした文書、若しくは加工済みの文書を受信し、スキャンした文書、若しくは加工済みの文書を指定された格納場所に格納し（ステップＳ６２０）、図３に示すフローチャートを終了する。
【図面の簡単な説明】
【００９０】
【図１】本発明を適用した文書処理システム１の構成の一例を示す図である。
【図２】複合機２および文書処理装置３の機能的な構成の一例を示すブロック図である。
【図３】複合機のスキャン機能で原稿をスキャンする際に、複合機で行われる処理手順、文書処理装置で行われる処理手順、および複合機と文書処理装置とで行われる通信の処理手順を示すフローチャートである。
【図４】複合機のコントロールパネルに表示されたフォルダーの内容を表すページの一例を示す図である。
【図５】複合機のコントロールパネルに表示された指示書の内容の一例を示す図である。
【図６】複合機のスキャン機能で原稿をスキャンする際にパスワードを用いる場合、、複合機で行われる処理手順、文書処理装置で行われる処理手順、および複合機と文書処理装置とで行われる通信の処理手順を示すフローチャートである。
【図７】複合機のコントロールパネルに表示された指示書の内容の一例を示す図である。
【図８】複合機のコントロールパネルに表示されたパスワードの入力要求の一例を示す図である。
【符号の説明】
【００９１】
１    文書処理システム
２    複合機
３    文書処理装置
４    文書加工装置
５    ネットワーク
６    ブラウザ
７    コントロールパネル
８    指示書処理部
９    スキャン処理部
１０    文書送受信部
１１    プラテン
１２    ＵＩ作成部
１３    指示書作成部
１４    パスワード処理部
１５    文書格納部
【図１】
2006135644.tif 000003
【図２】
2006135644.tif 000004
【図３】
2006135644.tif 000005
【図４】
2006135644.tif 000006
【図５】
2006135644.tif 000007
【図６】
2006135644.tif 000008
【図７】
2006135644.tif 000009
【図８】
2006135644.tif 000010